(57)【要約】【課題】ユーザの設定に基づいて補正した画像データを容易に修正することができる撮像装置及びその制御方法、並びにプログラムを提供する。【解決手段】デジタルカメラ３０１は、ＣＰＵ１０１、カメラ部１０４、画像補正部１０５、記録媒体１０６、及び通信部１１０を備える。ＣＰＵ１０１は、カメラ部１０４を制御して撮影を実行し、ユーザ設定に基づいて、カメラ部１０４で生成された画像データを画像補正部１０５で補正する。ＣＰＵ１０１は、ユーザ設定を無効にした場合の画像データをコンピュータ３０２で再現するための画像補正情報を生成し、記録媒体１０６に記録する。ＣＰＵ１０１は、画像データを記録媒体１０６に記録し、記録媒体１０６に記録されている画像データを、記録媒体１０６に記録されている画像補正情報と共に通信部１１０によりコンピュータ３０２に転送する。【選択図】図２
2007150595.tif 000002
【特許請求の範囲】
【請求項１】
被写体を撮影して画像データを生成する撮像手段と、
画像補正情報を設定する画像補正情報設定手段と、
前記設定された画像補正情報に基づいて前記撮像手段により生成された画像データを補正する補正手段と、
前記設定された画像補正情報以外の画像補正情報を取得する取得手段と、
前記補正された画像データ及び前記取得された画像補正情報を記録する記録手段とを備えることを特徴とする撮像装置。
【請求項２】
被写体を撮影して画像データを生成する撮像手段と、
画像補正情報を設定する画像補正情報設定手段と、
前記設定された画像補正情報に基づいて前記撮像手段により生成された画像データを補正する補正手段と、
前記設定された画像補正情報以外の画像補正情報を取得する取得手段と、
前記設定された画像補正情報に基づいて補正された画像データ及び前記取得された画像補正情報に基づいて補正された画像データとを記録する記録手段とを備えることを特徴とする撮像装置。
【請求項３】
前記取得手段にて取得される前記画像補正情報は、前記設定された画像補正情報を無効にした場合の画像補正情報であることを特徴とする請求項１又は２記載の撮像装置。
【請求項４】
前記画像補正情報設定手段は、複数の画像補正情報から１つの画像補正情報を選択することを特徴とする請求項１乃至３のいずれか１項に記載の撮像装置。
【請求項５】
前記取得手段にて取得される前記画像補正情報は、前記画像補正情報設定手段によって選択された画像補正情報以外の画像補正情報であることを特徴とする請求項４記載の撮像装置。
【請求項６】
前記記録手段は、前記設定された画像補正情報に基づいて補正された画像データと、前記取得された画像補正情報に基づいて補正された画像データとを異なる記録媒体に記録することを特徴とする請求項２記載の撮像装置。
【請求項７】
前記画像補正情報は、ＲＧＢ情報、ホワイトバランス情報、明るさ情報の少なくとも１つを含むことを特徴とする請求項１乃至６のいずれか１項に記載の撮像装置。
【請求項８】
被写体を撮影して画像データを生成する撮像ステップと、
画像補正情報を設定する画像補正情報設定ステップと、
前記設定された画像補正情報に基づいて前記撮像ステップにおいて生成された画像データを補正する補正ステップと、
前記設定された画像補正情報以外の画像補正情報を取得する取得ステップと、
前記補正された画像データ及び前記取得された画像補正情報を記録する記録ステップとを備えることを特徴とする撮像装置の制御方法。
【請求項９】
被写体を撮影して画像データを生成する撮像ステップと、
画像補正情報を設定する画像補正情報設定ステップと、
前記設定された画像補正情報に基づいて前記撮像手段により生成された画像データを補正する補正ステップと、
前記設定された画像補正情報以外の画像補正情報を取得する取得ステップと、
前記設定された画像補正情報に基づいて補正された画像データ及び前記取得された画像補正情報に基づいて補正された画像データとを記録する記録ステップとを備えることを特徴とする撮像装置の制御方法。
【請求項１０】
前記取得手段にて取得される前記画像補正情報は、前記設定された画像補正情報を無効にした場合の画像補正情報であることを特徴とする請求項８又は９記載の撮像装置の制御方法。
【請求項１１】
前記画像補正情報設定ステップは、複数の画像補正情報から１つの画像補正情報を選択することを特徴とする請求項８乃至１０のいずれかに記載の撮像装置の制御方法。
【請求項１２】
前記取得ステップにて取得される前記画像補正情報は、前記画像補正情報設定ステップによって選択された画像補正情報以外の画像補正情報であることを特徴とする請求項１３記載の撮像装置の制御方法。
【請求項１３】
前記記録ステップは、前記設定された画像補正情報に基づいて補正された画像データと、前記取得された画像補正情報に基づいて補正された画像データとを異なる記録媒体に記録することを特徴とする請求項９記載の撮像装置の制御方法。
【請求項１４】
前記画像補正情報は、ＲＧＢ情報、ホワイトバランス情報、明るさ情報の少なくとも１つを含むことを特徴とする請求項８乃至１３のいずれか１項に記載の撮像装置の制御方法。
【請求項１５】
撮像装置で実行されるプログラムにおいて、
被写体を撮影して画像データを生成する撮像処理モジュールと、
画像補正情報を設定する画像補正情報設定処理モジュールと、
前記設定された画像補正情報に基づいて前記撮像処理モジュールにより生成された画像データを補正する補正処理モジュールと、
前記設定された画像補正情報以外の画像補正情報を取得する取得処理モジュールと、
前記補正された画像データ及び前記取得された画像補正情報を記録する記録処理モジュールとを備えることを特徴とするプログラム。
【請求項１６】
撮像装置で実行されるプログラムにおいて、
被写体を撮影して画像データを生成する撮像処理モジュールと、
画像補正情報を設定する画像補正情報設定処理モジュールと、
前記設定された画像補正情報に基づいて前記撮像手段により生成された画像データを補正する補正処理モジュールと、
前記設定された画像補正情報以外の画像補正情報を取得する取得処理モジュールと、
前記設定された画像補正情報に基づいて補正された画像データ及び前記取得された画像補正情報に基づいて補正された画像データとを記録する記録処理モジュールとを備えることを特徴とするプログラム。
【発明の詳細な説明】
【技術分野】
【０００１】
本発明は、撮像装置及びその制御方法、並びにプログラムに関する。
【背景技術】
【０００２】
従来より、撮影時に画像補正情報を記録しておき、この記録した画像補正情報を撮影された画像データと共にコンピュータに転送する撮像装置が知られている（例えば、特許文献１参照）。画像データ及び画像補正情報を受信したコンピュータは、転送された画像データが現在接続されている撮像装置自体で撮影された画像データであることを検出したときは、転送された画像補正情報に基づいて画像データに補正を行う。
【特許文献１】特開２００１−２４５１９４号公報
【発明の開示】
【発明が解決しようとする課題】
【０００３】
しかしながら、上記特許文献１記載の撮像装置は、以下の課題がある。
【０００４】
転送された画像データが現在接続されている撮像装置自体で撮影された画像データでなかった場合や、コンピュータ側へ画像データを転送済みであり撮像装置が接続されていない場合は、画像データの補正が行われない。
【０００５】
また、ユーザがコンピュータ等により画像を確認した際、設定した画像補正情報により補正された画像が想像していた効果と異なる場合に、画像補正情報の設定を無効にしていた場合や、別の画像補正情報を設定していた場合の画像に修正するのは困難である。
【０００６】
本発明の目的は、ユーザの設定に基づいて補正した画像データを容易に修正することができる撮像装置及びその制御方法、並びにプログラムを提供することにある。  
【課題を解決するための手段】
【０００７】
本発明の撮像装置によれば、被写体を撮影して画像データを生成する撮像手段と、画像補正情報を設定する画像補正情報設定手段と、前記設定された画像補正情報に基づいて前記撮像手段により生成された画像データを補正する補正手段と、前記設定された画像補正情報以外の画像補正情報を取得する取得手段と、前記補正された画像データ及び前記取得された画像補正情報とを記録する記録手段とを備えることを特徴としている。
【０００８】
また、本発明の撮像装置によれば、被写体を撮影して画像データを生成する撮像手段と、画像補正情報を設定する画像補正情報設定手段と、前記設定された画像補正情報に基づいて前記撮像手段により生成された画像データを補正する補正手段と、前記設定された画像補正情報以外の画像補正情報を取得する取得手段と、前記設定された画像補正情報に基づいて補正された画像データ及び前記取得された画像補正情報に基づいて補正された画像データとを記録する記録手段とを備えることを特徴としている。
【０００９】
本発明の撮像装置の制御方法によれば、被写体を撮影して画像データを生成する撮像ステップと、画像補正情報を設定する画像補正情報設定ステップと、前記設定された画像補正情報に基づいて前記撮像ステップにおいて生成された画像データを補正する補正ステップと、前記設定された画像補正情報以外の画像補正情報を取得する取得ステップと、前記補正された画像データ及び前記取得された画像補正情報を記録する記録ステップとを備えることを特徴としている。
【００１０】
また、本発明の撮像装置の制御方法によれば、被写体を撮影して画像データを生成する撮像ステップと、画像補正情報を設定する画像補正情報設定ステップと、前記設定された画像補正情報に基づいて前記撮像手段により生成された画像データを補正する補正ステップと、前記設定された画像補正情報以外の画像補正情報を取得する取得ステップと、前記設定された画像補正情報に基づいて補正された画像データ及び前記取得された画像補正情報に基づいて補正された画像データとを記録する記録ステップとを備えることを特徴としている。
【発明の効果】
【００１１】
設定された画像補正情報に基づいて被写体を撮影して生成された画像データを補正し、設定された画像補正情報以外の画像補正情報を取得し、補正された画像データ及び取得された画像補正情報を記録する。その結果、ユーザの設定に基づいて補正した画像データを容易に修正することができる。
【発明を実施するための最良の形態】
【００１２】
以下、本発明の実施の形態を図面を参照しながら詳述する。
【００１３】
図１は、本発明の実施の形態に係る撮像装置の内部構成を示すブロック図である。
【００１４】
図１において、デジタルカメラ３０１は、ＣＰＵ１０１、ＲＯＭ１０２、ＲＡＭ１０３、カメラ部１０４、画像補正部１０５、記録媒体１０６、画像補正情報設定部１０７、表示部１０８、操作部１０９、及び通信部１１０を備える。
【００１５】
カメラ部１０４は、被写体を映像信号に変換し、ＣＰＵ１０１からの指示により画像データを生成する。画像補正部１０５は、カメラ部１０４で生成された画像データを、画像補正情報設定部１０７で設定された画像補正情報に基づいて補正する。
【００１６】
記録媒体１０６は、画像補正部１０５で補正された画像データや、ＣＰＵ１０１で生成された画像補正情報を記録する。記録媒体１０６は、デジタルカメラ３０１に内蔵されていてもよく、デジタルカメラ３０１に着脱可能なものであってもよい。
【００１７】
画像補正情報設定部１０７は、ユーザにより、撮影時の画像補正情報を設定するのに用いられる。画像補正情報の設定時のメニュー操作は操作部１０９で行う。また、画像補正情報設定部１０７では、画像補正情報が数種類集まった複数の画像補正情報セットの中から任意の画像補正情報セットを選択することもできる。
【００１８】
表示部１０８は、液晶ディスプレイ等により構成される。表示部１０８には、カメラ部１０４で撮影された画像データや、記録媒体１０６に記録されている画像データに基づいて、画像が表示される。また、表示部１０８には、画像補正情報設定部１０７で設定される画像補正情報等も表示される。
【００１９】
操作部１０９は、カメラ部１０４による撮影や、画像補正情報の設定等の操作を行うのに用いられる。また、カメラ部１０４で撮影を行う撮影モード、記録媒体１０６に記録された画像データ等を後述する通信部１１０からコンピュータ３０２等の外部デバイスに転送する転送モード等を選択する操作も操作部１０９で行う。画像補正情報設定、モード選択等の操作手段は、スイッチ、タッチパネル等、特に指定はしない。
【００２０】
通信部１１０は、コンピュータ３０２等の外部デバイスと通信を行う。通信部１１０は、記録媒体１０６に記録された画像データや画像補正情報を外部デバイスに転送することが可能である。通信部１１０の通信方法は有線方式、無線方式等、特に指定しない。
【００２１】
なお、上記各構成の動作は、ＲＯＭ１０２にプリセットされたプログラムに基づいて、ＣＰＵ１０１により制御される。この際、ＣＰＵ１０１は、ＲＡＭ１０３をワークエリア等として利用する。また、ＲＡＭ１０３は、画像補正情報設定部１０７で設定された画像補正情報を記憶させることにも使用される。
【００２２】
また、ＣＰＵ１０１は、画像補正情報設定部１０７で設定された画像補正情報を有効にして撮影が行われた場合に、画像補正情報を無効にした場合の画像データをコンピュータ３０２で再現するための画像補正情報を生成する。
【００２３】
デジタルカメラ３０１による撮影は、デジタルカメラ３０１の電源を投入し、動作モードとして撮影モードを選択して行う。カメラ部１０４で生成された画像データは、画像補正部１０５で補正され、記録媒体１０６に記録される。記録媒体１０６に記録された画像データ等は、動作モードとして転送モードを選択することによって、通信部１１０により外部デバイスに転送される。また、操作部１０９を操作することによって、撮影モードでの画像補正情報を設定することができる。画像補正情報設定時の設定値等は、表示部１０８に表示される。
【００２４】
図２は、図１のデジタルカメラ３０１によって実行される撮影処理の手順を示すフローチャートである。
【００２５】
図２において、まず、ユーザにより操作部１０９で撮影の操作が行われ、ＣＰＵ１０１がカメラ部１０４を制御して撮影を実行すると（ステップＳ２０１でＹＥＳ）、ステップＳ２０２に進む。
【００２６】
ステップＳ２０２では、ＣＰＵ１０１は、画像補正情報設定部１０７でユーザが設定した画像補正情報（ユーザ設定）が有効になっているか否かを判別する。この判別の結果、ユーザ設定が有効になっているときは、ステップＳ２０３に進む。一方、ユーザ設定が有効になっていないときは、ステップＳ２０５に進む。
【００２７】
ステップＳ２０３では、ＣＰＵ１０１は、ＲＡＭ１０３からユーザ設定を読み出し、読み出したユーザ設定に基づいて、カメラ部１０４で生成された画像データを画像補正部１０５で補正する。このとき、ＣＰＵ１０１は、ユーザ設定を無効にした場合の画像データをコンピュータ３０２で再現するための画像補正情報を生成し、記録媒体１０６に記録し（ステップＳ２０４）、ステップＳ２０５に進む。
【００２８】
ステップＳ２０５では、ＣＰＵ１０１は、画像データを記録媒体１０６に記録する。次に、ユーザによりデジタルカメラ３０１がコンピュータ３０２に接続されると、記録媒体１０６に記録されている画像データを、記録媒体１０６に記録されている画像補正情報と共に通信部１１０によりコンピュータ３０２に転送し（ステップＳ２０６）、本処理を終了する。
【００２９】
図３は、図１におけるコンピュータ３０２によって実行される画像再現処理を説明するのに用いられる図である。
【００３０】
図３において、デジタルカメラ３０４の記録媒体１０６に記録されている画像データ３０４は、記録媒体１０６に記録されている画像補正情報３０３と共に通信部１１０によりコンピュータ３０２に転送される。
【００３１】
データを受け取ったコンピュータ３０２は、画像補正情報３０３を解析し、解析結果に基づいて画像データ３０４のＲＧＢ、ホワイトバランス、明るさ等を補正する。この補正により、コンピュータ３０２は、ユーザが設定した画像補正情報を無効にして撮影した場合の画像データを再現する。尚、複数の画像補正情報３０３の中から選択された任意の画像補正情報（例えば、ＲＧＢ補正情報）のみに基づいて、画像データ３０４を補正をするようにしてもよい。
【００３２】
図２の処理によれば、ユーザが設定した画像補正情報（ユーザ設定）を有効にして撮影した画像データから、ユーザ設定を無効にして撮影した場合の画像データをコンピュータ上で再現することができる。その結果、ユーザの設定に基づいて補正した画像データを容易に修正することができる。
【００３３】
図４は、図２の撮影処理の第１の変形例の手順を示すフローチャートである。
【００３４】
図４において、まず、ユーザにより操作部１０９で撮影の操作が行われ、ＣＰＵ１０１がカメラ部１０４を制御して撮影を実行すると（ステップＳ４０１でＹＥＳ）、ステップＳ４０２に進む。
【００３５】
ステップＳ４０２では、ＣＰＵ１０１は、画像補正情報設定部１０７でユーザが設定した画像補正情報（ユーザ設定）が有効になっているか否かを判別する。この判別の結果、ユーザ設定が有効になっているときは、ステップＳ４０３に進む。一方、ユーザ設定が有効になっていないときは、ステップＳ４０６に進む。
【００３６】
ステップＳ４０３では、ＣＰＵ１０１は、ＲＡＭ１０３からユーザ設定を読み出し、どのユーザ設定が選択されているかを解析する。次に、ステップＳ４０３で読み出したユーザ設定に基づいて、カメラ部１０４で生成された画像データを画像補正部１０５で補正する（ステップＳ４０４）。このとき、ＣＰＵ１０１は、選択されていないユーザ設定で撮影した場合の画像データをコンピュータ３０２で再現するための画像補正情報を生成し、記録媒体１０６に記録し（ステップＳ４０５）、ステップＳ４０６に進む。
【００３７】
ステップＳ４０６では、ＣＰＵ１０１は、画像データを記録媒体１０６に記録する。次に、ユーザによりデジタルカメラ３０１がコンピュータ３０２に接続されると、記録媒体１０６に記録されている画像データを、記録媒体１０６に記録されている画像補正情報と共に通信部１１０によりコンピュータ３０２に転送し（ステップＳ４０７）、本処理を終了する。
【００３８】
データを受け取ったコンピュータ３０２は、図３に示すように、画像補正情報３０３を解析し、解析結果に基づいて画像データ３０４のＲＧＢ、ホワイトバランス、明るさ等を補正する。この補正により、コンピュータ３０２は、選択されていないユーザ設定で撮影した場合の画像データを再現する。
【００３９】
図４の処理によれば、ユーザが設定できる複数の画像補正情報（ユーザ設定）の中から任意の一つをユーザが選択して撮影した画像データから、選択されていないユーザ設定で撮影した場合の画像データをコンピュータ上で再現することができる。その結果、ユーザ設定に基づいて補正した画像データを容易に修正することができる。更に、ユーザ設定に基づいて補正した画像データ、及び選択されていないユーザ設定で撮影した場合の画像データの各画像データの作成や、各画像データの比較等を容易に行うことができる。
【００４０】
次に、図５に基づいて、デジタルカメラ３０１でユーザが画像補正情報を設定する処理について説明する。
【００４１】
図５は、図１における表示部１０８に表示される画像補正情報（ユーザ）設定画面の一例を示す図である。
【００４２】
図５において、画像補正情報（ユーザ）設定画面５０１は、カメラ画像表示部５０２、ユーザ設定選択部５０３、ＲＧＢ調整実行ボタン５０４、ホワイトバランス調整実行ボタン５０５、及び明るさ調整実行ボタン５０６を備える。
【００４３】
カメラ画像表示部５０２には、カメラ部１０４で現在撮影されているカメラ画像が表示される。
【００４４】
ユーザ設定選択部５０３は、ユーザ設定が複数ある場合、ユーザが任意のユーザ設定を選択するのに用いられる。ユーザ設定の選択は、操作部１０９が備える上下キーを操作することでカーソルを移動させ、同じく操作部１０９が備える決定キーを操作して選択することにより行う。
【００４５】
ＲＧＢ調整実行ボタン５０４、ホワイトバランス調整実行ボタン５０５、又は明るさ調整実行ボタン５０６を選択するには、操作部１０９が備える上下キーを操作してカーソルを移動させ、同じく操作部１０９が備える決定キーを操作して選択する。
【００４６】
ＲＧＢ調整実行ボタン５０４が選択されると、ユーザ設定選択部５０３で選択されたユーザ設定のＲＧＢ調整を行う画面（図６）へ遷移する。ホワイトバランス調整実行ボタン５０５が選択されると、ユーザ設定選択部５０３で選択されたユーザ設定のホワイトバランス調整を行う画面へ遷移する。明るさ調整実行ボタン５０６が選択されると、ユーザ設定選択部５０３で選択されたユーザ設定の明るさ調整を行う画面へ遷移する。
【００４７】
次に、図６に基づいて、デジタルカメラ３０１でユーザが画像補正情報を設定する処理について、ＲＧＢ調整を例にして説明する。
【００４８】
図６は、図１における表示部１０８に表示されるＲＧＢ調整画面の一例を示す図である。
【００４９】
図６において、ＲＧＢ調整画面６０１は、ＲＧＢ調整実行ボタン５０４が選択されたときに、表示部１０８に表示される。ＲＧＢ調整画面６０１は、カメラ画像表示部６０２、選択項目表示部６０３、及び補正値設定部６０４を備える。
【００５０】
カメラ画像表示部６０２には、カメラ部１０４で現在撮影されているカメラ画像、又は、補正値設定部６０４で設定した値に基づいて補正された画像が表示される。ユーザはこの表示された画像を見ることによって、補正結果を視認することができる。
【００５１】
選択項目表示部６０３には、現在選択されているユーザ設定、及び現在選択されている調整項目が表示される。補正値設定部６０４では、操作部１０９のカーソルキーで項目を選択し、実行キーを使用して画像補正情報を確定させる。確定された画像補正情報は画像補正情報設定部１０７を介してＲＡＭ１０３へ記憶される。
【００５２】
設定値の調整は、図６に示すようにスライドバーで行ってもよく、直接数字を入力させてもよい。また、いくつかの設定例を表示し、その中からユーザに選択させてもよい。
【００５３】
図７は、図２の撮影処理の第２の変形例の手順を示すフローチャートである。
【００５４】
図７において、まず、ユーザにより操作部１０９で撮影の操作が行われ、ＣＰＵ１０１がカメラ部１０４を制御して撮影を実行すると（ステップＳ７０１でＹＥＳ）、ステップＳ７０２に進む。ステップＳ７０２では、カメラ部１０４により生成された画像データをＲＡＭ１０３に一時保存し、ステップＳ７０３に進む。
【００５５】
ステップＳ７０３では、ＣＰＵ１０１は、画像補正情報設定部１０７でユーザが設定した画像補正情報（ユーザ設定）が有効になっているか否かを判別する。この判別の結果、ユーザ設定が有効になっているときは、ステップＳ７０４に進む。一方、ユーザ設定が有効になっていないときは、ステップＳ７０６に進む。
【００５６】
ステップＳ７０４では、ＣＰＵ１０１は、ＲＡＭ１０３からユーザ設定を読み出し、読み出した画像補正情報に基づいて、カメラ部１０４で生成された画像データを画像補正部１０５で補正する。次に、ＣＰＵ１０１は、ステップＳ７０４で補正した画像データを記録媒体１０６に記録する（ステップＳ７０５）。
【００５７】
次に、ＣＰＵ１０１は、ＲＡＭ１０３からステップＳ７０１で一時保存した補正していない画像データを読み出し、読出した補正していない画像データを記録媒体１０６に記録する（ステップＳ７０６）。
【００５８】
次に、ユーザによりデジタルカメラ３０１がコンピュータ３０２に接続されると、記録媒体１０６に記録されている画像データを通信部１１０によりコンピュータ３０２に転送し（ステップＳ７０７）、本処理を終了する。
【００５９】
図７の処理によれば、ユーザが設定した画像補正情報（ユーザ設定）を有効にして撮影した際に、ユーザ設定を無効にして撮影した場合の画像データも同時に記録することができる。その結果、ユーザは、ユーザの設定に基づいて補正した画像データに加えて、ユーザ設定を無効にして撮影した場合の画像データも利用することができる。また、コンピュータ側で画像データの修正を行う必要がなくなるので、画像データを修正するための特別なアプリケーションを用意するためのコストを削減することができる。
【００６０】
尚、本実施の形態では、ユーザ設定に基づいて補正した画像データに加えて補正していない画像データを記録する例について説明したが、本発明はこれに限られるものではない。ユーザ設定に基づいて補正した画像データに加えて他のユーザ設定に基づいて補正した画像データを記録するようにしてもよい。
【００６１】
図８は、図１の撮像装置の内部構成の変形例を示すブロック図である。
【００６２】
図８の撮像装置の構成は、図１の撮像装置の構成と基本的に同じであり、図１と同じ構成要素には同一符号を付し、その説明を省略する。
【００６３】
図８において、デジタルカメラ１００１は、記録媒体１０６に代えて、記録媒体Ａ８０６、及び記録媒体Ｂ８０７を備える点でのみ図１のデジタルカメラ３０１と異なる。
【００６４】
記録媒体Ａ８０６は、画像補正部１０５で補正された画像を記録する。記録媒体Ｂ８０７は、画像補正部８０５で補正していない画像を記録する。記録媒体Ａ８０６、及び記録媒体Ｂ８０７は、デジタルカメラ１００１に内蔵されていてもよく、デジタルカメラ１００１に着脱可能なものであってもよい。
【００６５】
図９は、図８のデジタルカメラ１００１によって実行される撮影処理の手順を示すフローチャートである。
【００６６】
図９において、まず、ユーザにより操作部１０９で撮影の操作が行われ、ＣＰＵ１０１がカメラ部１０４を制御して撮影を実行すると（ステップＳ９０１でＹＥＳ）、ステップＳ９０２に進む。ステップＳ９０２では、カメラ部１０４により生成された画像データをＲＡＭ１０３に一時保存し、ステップＳ９０３に進む。
【００６７】
ステップＳ９０３では、ＣＰＵ１０１は、画像補正情報設定部１０７でユーザが設定した画像補正情報（ユーザ設定）が有効になっているか否かを判別する。この判別の結果、ユーザ設定が有効になっているときは、ステップＳ９０４に進む。一方、ユーザ設定が有効になっていないときは、ステップＳ９０５に進む。
【００６８】
ステップＳ９０４では、ＣＰＵ１０１は、ＲＡＭ１０３からユーザ設定を読み出し、読み出したユーザ設定に基づいて、カメラ部１０４で生成された画像データを画像補正部１０５で補正する。次に、ＣＰＵ１０１は、ステップＳ９０４で補正した画像データを記録媒体Ａ８０６に記録する（ステップＳ９０５）。
【００６９】
次に、ＣＰＵ１０１は、ＲＡＭ１０３からステップＳ９０１で一時保存した補正していない画像データを読み出し、読出した補正していない画像データを記録媒体Ｂ８０７に記録する（ステップＳ９０６）。
【００７０】
次に、ユーザによりデジタルカメラ３０１がコンピュータ３０２に接続されると、記録媒体Ａ８０６及び記録媒体Ｂ８０７に記録されている画像データを通信部１１０によりコンピュータ３０２に転送し（ステップＳ９０７）、本処理を終了する。
【００７１】
図１０は、図８におけるコンピュータ３０２によって実行される画像記録処理を説明するのに用いられる図である。
【００７２】
図１０において、記録媒体Ａ８０６に記録されている画像Ａ１００３、及び記録媒体Ｂ８０７に記録されている画像Ｂ１００４は、通信部１１０よりコンピュータ３０２に転送される。
【００７３】
データを受け取ったコンピュータ３０２は、画像Ａ１００３及び画像Ｂ１００４をコンピュータ３０２が備える記録媒体に記録する。これにより、ユーザは、コンピュータ３０２が備える記録媒体に記録された、ユーザ設定に基づいて補正された画像データ及び補正していない画像データを利用することができる。
【００７４】
図９の処理によれば、ユーザが設定した画像補正情報（ユーザ設定）を有効にして撮影した画像データと、ユーザ設定を無効にして撮影した場合の画像データを別々の記録媒体に記録することができる。その結果、画像補正情報毎の画像データの管理を容易に行うことができる。
【００７５】
尚、本実施の形態では、ユーザ設定に基づいて補正した画像データに加えて補正していない画像データを記録する例について説明したが、本発明はこれに限られるものではない。ユーザ設定に基づいて補正した画像データに加えて他のユーザ設定に基づいて補正した画像データを記録するようにしてもよい。
【００７６】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００７７】
この場合、記憶媒体から読み出されたプログラムコード自体が前述した実施の形態の機能を実現することになり、そのプログラムコード及び該プログラムコードを記憶した記憶媒体は本発明を構成することになる。
【００７８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００７９】
また、コンピュータが読み出したプログラムコードを実行することにより、前述した実施の形態の機能が実現されるだけではなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００８０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した実施の形態の機能が実現される場合も含まれる。
【図面の簡単な説明】
【００８１】
【図１】本発明の実施の形態に係る撮像装置の内部構成を示すブロック図である。
【図２】図１のデジタルカメラによって実行される撮影処理の手順を示すフローチャートである。
【図３】図１におけるコンピュータによって実行される画像再現処理を説明するのに用いられる図である。
【図４】図２の撮影処理の第１の変形例の手順を示すフローチャートである。
【図５】図１における表示部に表示される画像補正情報（ユーザ）設定画面の一例を示す図である。
【図６】図１における表示部に表示されるＲＧＢ調整画面の一例を示す図である。
【図７】図２の撮影処理の第２の変形例の手順を示すフローチャートである。
【図８】図１の撮像装置の内部構成の変形例を示すブロック図である。
【図９】図８のデジタルカメラによって実行される撮影処理の手順を示すフローチャートである。
【図１０】図８におけるコンピュータによって実行される画像記録処理を説明するのに用いられる図である。
【符号の説明】
【００８２】
１０１  ＣＰＵ
１０２  ＲＯＭ
１０３  ＲＡＭ
１０４  カメラ部
１０５  画像補正部
１０６  記録媒体
１０７  画像補正情報設定部
１０８  表示部
１０９  操作部
１１０  通信部
３０１  デジタルカメラ
３０２  コンピュータ
【図１】
2007150595.tif 000003
【図２】
2007150595.tif 000004
【図３】
2007150595.tif 000005
【図４】
2007150595.tif 000006
【図５】
2007150595.tif 000007
【図６】
2007150595.tif 000008
【図７】
2007150595.tif 000009
【図８】
2007150595.tif 000010
【図９】
2007150595.tif 000011
【図１０】
2007150595.tif 000012